(57)【要約】【課題】浮上油が溜まって来た場合にその都度清澄水取出管や開口端より低い所に位置している浮上油排出弁を開放して浮上油を排出しているものや、水分取出口より高い所に位置している浮上油取出口から常に浮上油を取出すものでは、どうしても浮上油を取出すタイミングが遅れがちとなり、長い間使用している間に、浮上油を固着させて装置を汚し劣化させ、更には装置の周囲も汚していた。  また、取出した浮上油は、大半を産業廃棄物として処理していたが、どうしても一部水分を含んだ液体となり、かなりの費用を必要としていた。【解決手段】ドレン水９３から比重によって水より軽い油を中心とする異物を含んだ浮上油９４を分離し、綺麗なドレン水または清浄水を滞留させる中で、浮上油９４を流出させ送り込むのに際して導入管２１２、２２２、２３３、２４３、２４４からの綺麗なドレン水または清浄水の移動または排出することによって定まる液面ＷＬと同じ高さにすることで、常に流れを維持するようにした。【選択図】  図１
2007075804.tif 000002
【特許請求の範囲】
【請求項１】
圧縮空気より発生したドレン水より異物を分離する方法に於いて、ドレン水（９３）から比重によって水より軽い油を中心とする異物を含んだ浮上油（９４）を分離し、綺麗なドレン水または清浄水を滞留させる中で、前記浮上油（９４）を流出させ送り込むのに際して導入管（２１２、２２２、２３３、２４３、２４４）からの前記綺麗なドレン水または前記清浄水の移動または排出することによって定まる液面（ＷＬ）と同じ高さにすることで、常に流れを維持するようにしたことを特徴とする圧縮空気より発生したドレン水より異物を分離する方法。
【請求項２】
送り込まれた前記浮上油（９４）は、油吸着を行う油吸着材（２８２、２９２）を経由させて比較的綺麗なドレン水（９５）にすることを特徴とする請求項１に記載の圧縮空気より発生したドレン水より異物を分離する方法。
【請求項３】
前記比較的綺麗なドレン水（９５）は、戻すことで前記ドレン水（９３）に合流させ、再び前記浮上油（９４）を分離することを特徴とする請求項２に記載の圧縮空気より発生したドレン水より異物を分離する方法。
【請求項４】
前記綺麗なドレン水は、エマルジョン破壊と油吸着を行う油吸着材（２２４、２３６、２５４）を経由させて清浄な清浄水（９７、９８、９９）とすることを特徴とする請求項１ないし請求項３の何れか１項に記載の圧縮空気より発生したドレン水より異物を分離する方法。
【請求項５】
前記ドレン水（９３）から前記浮上油（９４）を分離するのに際しては、分離の処理を複数回行うことを特徴とする請求項１ないし請求項４の何れか１項に記載の圧縮空気より発生したドレン水より異物を分離する方法。
【請求項６】
圧縮空気より発生したドレン水より異物を分離する装置に於いて、ドレン水（９３）から比重によって水より軽い油を中心とする異物を含んだ浮上油（９４）を分離することで綺麗なドレン水または清浄水を滞留させ、前記浮上油（９４）を送り込む為の浮上油配管（１７１、１７３、１７５、１７７）を接続した油水分離槽（２１０、２２０、２３０Ａ、２４０Ａ）と、油吸着を行う油吸着材（２８２、２９２）を収納することで、送り込まれた前記浮上油（９４）を比較的綺麗なドレン水（９５）とする浮上油吸着槽（２８０、２９０）を配設したことを特徴とする圧縮空気より発生したドレン水より異物を分離する装置。
【請求項７】
前記浮上油配管（１７１、１７３、１７５、１７７）は、導入管（２１２、２２２、２３３、２４３）からの前記綺麗なドレン水または前記清浄水の移動または排出することによって定まる液面（ＷＬ）と同じ高さに位置させたものであることを特徴とする請求項６に記載の圧縮空気より発生したドレン水より異物を分離する装置。
【請求項８】
前記油吸着材（２８２、２９２）を前記浮上油吸着槽（２８０、２９０）内部の略中央に位置している金網やパンチングプレートを含む脱水装置（２８３、２９３）の上部に載置し、前記脱水装置（２８３、２９３）の下部に前記比較的綺麗なドレン水（９５）を貯留し、前記比較的綺麗なドレン水（９５）を前記油水分離槽（２１０、２２０、２３０Ａ、２４０Ａ）に戻すポンプ（２８６、２９６）を配設したことを特徴とする請求項６または請求項７に記載の圧縮空気より発生したドレン水より異物を分離する装置。
【請求項９】
前記比較的綺麗なドレン水（９５）を前記油水分離槽（２１０、２２０、２３０Ａ、２４０Ａ）に戻す為に、前記比較的綺麗なドレン水（９５）の高さを確認するレベルスィッチ（２８４、２９４）を配設したことを特徴とする請求項８に記載の圧縮空気より発生したドレン水より異物を分離する装置。
【請求項１０】
前記綺麗なドレン水が移動して行く下流にエマルジョン破壊と油吸着を行う油吸着材（２３６、２５４）を収納した油吸着槽（２３０Ｂ、２４０Ｂ）を配設し、前記清浄水にする為に前記油水分離槽（２２０）にエマルジョン破壊と油吸着を行う油吸着材（２２４）を収納したことを特徴とする請求項６ないし請求項９の何れか１項に記載の圧縮空気より発生したドレン水より異物を分離する装置。
【請求項１１】
前記油水分離槽（２４０Ａ）は、浮上油分離室（２４１ｘ、２４１ｙ）を複数形成したものであることを特徴とする請求項６ないし請求項１０の何れか１項に記載の圧縮空気より発生したドレン水より異物を分離する装置。
【請求項１２】
前記ドレン水（９３）と前記比較的綺麗なドレン水（９５）を一旦ドレン水貯留槽（１１０）に貯留し、貯留された前記ドレン水（９３）と前記比較的綺麗なドレン水（９５）を自然落下で前記油水分離槽（２１０、２２０、２３０Ａ、２４０Ａ）に供給する為に、先端がＪ字状またはＬ字状で、端部を前記浮上油配管（１７１、１７３、１７５、１７７）より下部に位置させ、端部を上向きまたは横向きとしたドレン水供給管（１１６、１１７）の、他の一端を前記ドレン水貯留槽（１１０）に接続したことを特徴とする請求項６ないし請求項１１の何れか１項に記載の圧縮空気より発生したドレン水より異物を分離する装置。
【発明の詳細な説明】
【技術分野】
【０００１】  本発明は、圧縮空気より発生したドレン水より異物を分離する方法および装置に関する技術であって、更に詳細に述べると、圧縮空気より発生したドレン水に含まれている水より軽い油を中心とする異物を浮上油として浮上させ、如何にしたらその浮上油を、確実な方法で、更に産業廃棄物の処理に配慮しながら、同時に単純な手段で安価な形で処理するということを中心に、圧縮空気より発生したドレン水より異物を分離する技術について述べたものである。
【背景技術】
【０００２】  従来、圧縮空気より発生したドレン水より異物を分離する方法および装置に関する技術としては、浮上油分離室で浮上した油の層が厚くなってきたら清澄水取出管より低い所に位置している浮上油排出弁を開放して油を排出するものや（例えば、特許文献１参照）、水分取出口より高い所に位置している浮上油取出口から常に浮上油を排出するようになっているのがある（例えば、特許文献２参照）。【０００３】  先ず、圧縮空気より発生したドレン水より異物を分離する方法および装置に類似している、従来のエアコンプレッサに於けるドレン油水分離装置について、特許文献１により説明する。【０００４】  この場合、特許文献１に於いて、上部が開口した容器１９や油水分離槽２７の上部に油浮上分離室２３を形成し、この容器１９や油水分離槽２７の上方にドレンが流れて来るようにドレン集合管１７の下端を開放して配置している。  そして、この容器１９や油水分離槽２７で浮上油を分離した後のドレンを清澄水取出管２６（実施例１、実施例３）や開口端３５（実施例２）から送り出しているが、容器１９や油水分離槽２７の液面に浮上油が溜まって来た場合には、その都度清澄水取出管２６や開口端３５より低い所に位置している浮上油排出弁２４を開放して浮上油を排出している。
【特許文献１】  特開平５−６００７１
【０００５】  次に、圧縮空気より発生したドレン水より異物を分離する方法および装置に類似している、従来のドレン処理装置について、特許文献２により説明する。【０００６】  この場合、特許文献２に於いて、油水分離塔３０の側壁には浮上油を取出すための浮上油排出管３４が連結され、浮上油排出管３４の端口である浮上油取出口３５は、ある程度溜まったドレンの浮上油を取出すためにドレン受入管３３より下位に位置している。【０００７】  また、水分取出管４０の下端部が油水分離塔３０の底部３６近傍まで延び、その下端には水分取入用の口４１が開設されている。  水分取出管４０の上端部は、ドレン受入管３３より上位に延ばされ、水分取出管４０の上端口が油水分離塔３０の上部空間に連通している。【０００８】  尚、水分取出管４０の上端部には、ドレンの圧力により水分取出管４０内で上昇した水分を取出すための水分取出口４２が開設されている。  水分取出口４２は、浮上油と水分との比重に相違がある関係で、浮上油取出口３５より所定量低くなっている。
【特許文献２】  特開平５−１８４８１０
【発明の開示】
【発明が解決しようとする課題】
【０００９】  しかしながら、このような従来の圧縮空気より発生したドレン水より異物を分離する方法および装置に類似する技術に関しては、以下に示すような課題があった。【００１０】  先ず、浮上油が溜まって来た場合にその都度清澄水取出管や開口端より低い所に位置している浮上油排出弁を開放して浮上油を排出しているものや、水分取出口より高い所に位置している浮上油取出口から常に浮上油を取出すものでは、どうしても浮上油を取出すタイミングが遅れがちとなり（浮上油を除いたドレンの排出を優先させているために）、長い間使用している間に、浮上油を固着させて装置を汚し劣化させ、更には装置の周囲も汚していた。【００１１】  また、取出した浮上油は、大半を産業廃棄物として処理していたが、どうしても一部水分を含んだ液体となり、かなりの費用を必要としていた。
【課題を解決するための手段】
【００１２】  本発明は、圧縮空気より発生したドレン水より異物を分離する方法に於いて、ドレン水９３から比重によって水より軽い油を中心とする異物を含んだ浮上油９４を分離し、綺麗なドレン水または清浄水を滞留させる中で、前記浮上油９４を流出させ送り込むのに際して導入管２１２、２２２、２３３、２４３、２４４からの前記綺麗なドレン水または前記清浄水の移動または排出することによって定まる液面ＷＬと同じ高さにすることで、常に流れを維持するようにしたことを特徴とし、更には、送り込まれた前記浮上油９４は、油吸着を行う油吸着材２８２、２９２を経由させて比較的綺麗なドレン水９５にすることを特徴とし、更には、前記比較的綺麗なドレン水９５は、戻すことで前記ドレン水９３に合流させ、再び前記浮上油９４を分離することを特徴とし、更には、前記綺麗なドレン水は、エマルジョン破壊と油吸着を行う油吸着材２２４、２３６、２５４を経由させて清浄な清浄水９７、９８、９９とすることを特徴とし、更には、前記ドレン水９３から前記浮上油９４を分離するのに際しては、分離の処理を複数回行うことを特徴とすることによって、上記課題を解決したのである。【００１３】  また、本発明は、圧縮空気より発生したドレン水より異物を分離する装置に於いて、ドレン水９３から比重によって水より軽い油を中心とする異物を含んだ浮上油９４を分離することで綺麗なドレン水または清浄水を滞留させ、前記浮上油９４を送り込む為の浮上油配管１７１、１７３、１７５、１７７を接続した油水分離槽２１０、２２０、２３０Ａ、２４０Ａと、油吸着を行う油吸着材２８２、２９２を収納することで、送り込まれた前記浮上油９４を比較的綺麗なドレン水９５とする浮上油吸着槽２８０、２９０を配設したことを特徴とし、更には、前記浮上油配管１７１、１７３、１７５、１７７は、導入管２１２、２２２、２３３、２４３からの前記綺麗なドレン水または前記清浄水の移動または排出することによって定まる液面ＷＬと同じ高さに位置させたものであることを特徴とし、更には、前記油吸着材２８２、２９２を前記浮上油吸着槽２８０、２９０内部の略中央に位置している金網やパンチングプレートを含む脱水装置２８３、２９３の上部に載置し、前記脱水装置２８３、２９３の下部に前記比較的綺麗なドレン水９５を貯留し、前記比較的綺麗なドレン水９５を前記油水分離槽２１０、２２０、２３０Ａ、２４０Ａに戻すポンプ２８６、２９６を配設したことを特徴とし、更には、前記比較的綺麗なドレン水９５を前記油水分離槽２１０、２２０、２３０Ａ、２４０Ａに戻す為に、前記比較的綺麗なドレン水９５の高さを確認するレベルスィッチ２８４、２９４を配設したことを特徴とし、更には、前記綺麗なドレン水が移動して行く下流にエマルジョン破壊と油吸着を行う油吸着材２３６、２５４を収納した油吸着槽２３０Ｂ、２４０Ｂを配設し、前記清浄水にする為に前記油水分離槽２２０にエマルジョン破壊と油吸着を行う油吸着材２２４を収納したことを特徴とし、更には、前記油水分離槽２４０Ａは、浮上油分離室２４１ｘ、２４１ｙを複数形成したものであることを特徴とし、更には、前記ドレン水９３と前記比較的綺麗なドレン水９５を一旦ドレン水貯留槽１１��に貯留し、貯留された前記ドレン水９３と前記比較的綺麗なドレン水９５を自然落下で前記油水分離槽２１０、２２０、２３０Ａ、２４０Ａに供給する為に、先端がＪ字状またはＬ字状で、端部を前記浮上油配管１７１、１７３、１７５、１７７より下部に位置させ、端部を上向きまたは横向きとしたドレン水供給管１１６、１１７の、他の一端を前記ドレン水貯留槽１１０に接続したことを特徴とすることによって、上記課題を解決したのである。
【発明の効果】
【００１４】  以上の説明から明らかなように、本発明によって、以下に示すような効果をあげることが出来る。【００１５】  第一に、ドレン水から比重によって水より軽い油を中心とする異物を含んだ浮上油を分離し、綺麗なドレン水または清浄水を滞留させる中で、浮上油を流出させ送り込むのに際して導入管からの綺麗なドレン水または清浄水の移動または排出することによって定まる液面と同じ高さにすることで、常に流れを維持するようにしたことにより、導入管から常に綺麗なドレン水または清浄水が流れていると同時に浮上油も常に浮上油配管より流出させ送り込むことで流れを維持し、分離された浮上油に水がかなり混入するにしても浮上油が常に流れることで装置の水面で淀むような事もなく、それによって装置全体の清浄な状態を保持することが可能になった。【００１６】  第二に、送り込まれた浮上油は、油吸着を行う油吸着材を経由させて比較的綺麗なドレン水にすることで、産業廃棄物としては油だけを吸着した油吸着材のみを廃棄すれば良く、水も混在した浮上油を廃棄していた従来の方法に較べ、廃棄する全体量も少なく、処理サイクルも各段に長くなった。【００１７】  第三に、比較的綺麗なドレン水は、戻すことでドレン水に合流させ、再び浮上油を分離することで、浮上油に水が多く混在しても廃棄量が多いことを気にする必要も無く、比較的綺麗なドレン水は油水分離槽の液面に常に戻すことで液面周囲の洗浄に使用するという効果もみられる。【００１８】  第四に、綺麗なドレン水は、エマルジョン破壊と油吸着を行う油吸着材を経由させて清浄な清浄水とすることで、エマルジョン化したドレン水もほぼ完全な清浄水とすることが可能となった。【００１９】  第五に、ドレン水から浮上油を分離するのに際しては、その処理を複数回行うことで、より綺麗なドレン水となりまた完全に清浄水とすることも可能となった。【００２０】  第六に、ドレン水と比較的綺麗なドレン水を一旦ドレン水貯留槽に貯留し、貯留されたドレン水と比較的綺麗なドレン水を自然落下で油水分離槽に供給する為に、先端がＪ字状またはＬ字状で、端部を浮上油配管より下部に位置させ、端部を上向きまたは横向きとしたドレン水供給管の、他の一端をドレン水貯留槽に接続することで、油水分離槽で浮上油を分離するのに際し、静かな状態でドレン水と比較的綺麗なドレン水を供給することで、浮上油を早く浮上させることが可能となった。
【発明を実施するための最良の形態】
【００２１】  以下、本発明の実施の形態を図面と共に詳細に説明する。
ここで、図１は、本願発明の第一の油水分離槽を示した図と全体図であり、図２は、本願発明の第二の油水分離槽を示した図であり、図３は、本願発明の第三の油水分離槽を示した図であり、図４は、本願発明の第四の油水分離槽を示した平面図であり、図５は、本願発明の第四の油水分離槽を示したＡＡ断面図であり、図６は、本願発明の第四の油水分離槽を示したＢＢ断面図であり、図７は、本願発明の全実施例に共通するドレン水貯留槽を示した図である。【００２２】〔第一実施例〕
図１に見られるように、１０はエアーコンプレッサーであり、図１には具体的に示していないが、大気９１を吸引して圧縮空気を作り出す空気圧縮機と、空気圧縮機を回転運動させる電動機を構成している。【００２３】  ここで、エアーコンプレッサー１０を構成している空気圧縮機によって作り出された圧縮空気は、圧縮空気を流出させる圧縮空気配管１０１と、圧縮空気を貯蔵するエアータンク２０と、圧縮空気配管１０２と、圧縮空気を乾燥させるエアードライヤー３０と、圧縮空気配管１０３と、圧縮空気に含まれている塵等の各種の異物を除去する除塵フィルター４０と、圧縮空気配管１０４と、圧縮空気に含まれているミストを除去するミストフィルター５０と、圧縮空気配管１０５を経由することで乾燥した綺麗な圧縮空気９２をエアーモーターやエアーシリンダーの各種のアクチュエーターに供給することが可能となっている。【００２４】  但し、エアータンク２０に関しては、エアーコンプレッサー１０と一体に構成することも考えられる。  また、エアーコンプレッサー１０とエアータンク２０とエアードライヤー３０を一体に構成するということも考えられる。  尚、エアードライヤー３０は、冷凍式によるものを考えているが、膜式や乾燥剤によるもの等、更に別の方法によるものでも構わない。  更に、ミストフィルター５０の下流に、異臭や色を除去する活性炭フィルターを設けることも考えられる。【００２５】  この場合、エアータンク２０で圧縮空気より露化することで発生したドレン水は、ドレン水配管１２１と、手動によって圧縮空気の流れを開放し閉鎖する開閉弁２１と、ドレン水配管１２２と、ドレン水を圧縮空気と共に送り出すドレントラップ２２と、ドレン水配管１２３と、自身より下流の側に流体を流すが上流の側に戻せないようにした逆止弁２３と、ドレン水配管１２４を経由してドレン水集合管１６１に接続している。【００２６】  また、エアードライヤー３０で圧縮空気より露化することで発生した発生したドレン水は、ドレン水配管１３１と、手動によって圧縮空気の流れを開放し閉鎖する開閉弁３１と、ドレン水配管１３２と、ドレン水を圧縮空気と共に送り出すドレントラップ３２と、ドレン水配管１３３と、自身より下流の側に流体を流すが上流の側に戻せないようにした逆止弁３３と、ドレン水配管１３４を経由してドレン水集合管１６１に接続している。【００２７】  更に、除塵フィルター４０で圧縮空気より露化することで発生した発生したドレン水は、ドレン水配管１４１と、手動によって圧縮空気の流れを開放し閉鎖する開閉弁４１と、ドレン水配管１４２と、ドレン水を圧縮空気と共に送り出すドレントラップ４２と、ドレン水配管１４３と、自身より下流の側に流体を流すが上流の側に戻せないようにした逆止弁４３と、ドレン水配管１４４を経由してドレン水集合管１６１に接続している。【００２８】  一方、ミストフィルター５０で圧縮空気より露化することで発生した発生したドレン水は、ドレン水配管１５１と、手動によって圧縮空気の流れを開放し閉鎖する開閉弁５１と、ドレン水配管１５２と、ドレン水を圧縮空気と共に送り出すドレントラップ５２と、ドレン水配管１５３と、自身より下流の側に流体を流すが上流の側に戻せないようにした逆止弁５３と、ドレン水配管１５４を経由してドレン水集合管１６１に接続している。【００２９】  尚、ドレントラップ２２、３２、４２、５２に関しては、常に定めたサイクルで定めた時間の間作動させたり、別のやり方として常に定めたサイクルで所定の位置でドレン水の存在を確認した場合に定めた時間の間またはドレン水の存在を確認している間作動させることも考えられる。【００３０】  所で、ドレン水集合管１６１は、ドレン水９３を油水分離槽２１０に流入させることが出来るようになっている。  尚、流入させる方法としては、図１に見られる様に落下させても良いし、またはドレン水集合管１６１の端部を油水分離槽２１０の液面ＷＬより下部に位置させる様にしても良い。【００３１】  この場合、油水分離槽２１０は、上部を開放した状態の油水分離槽本体２１１に、上下両端を開放し分岐部２１２ｙを形成した導入管２１２を位置させている。  そして、導入管２１２は、油水分離槽本体２１１内部の底部に下端である底部入口２１２ｘを対向させ、上端を大気に開放し、分岐部２１２ｙを経由させて底部入口２１２ｘから綺麗なドレン水９６を排出している。  更に、油水分離槽本体２１１の側面には、底部入口２１２ｘからの綺麗なドレン水９６を排出している分岐部２１２ｙと同じ高さの液面ＷＬ上に位置を合わせて、浮上油９４を流出させ送り込む為に浮上油配管１７１と開閉弁２１３と浮上油配管１７２を一体に接続している。【００３２】  従って、開閉弁２１３を常に開放の状態にしておくと、液面ＷＬの浮上油９４が常に流れを維持して浮上油配管１７１と開閉弁２１３を経由して浮上油配管１７２から浮上油吸着槽２８０に送り込まれるようになっている。【００３３】  但し、浮上油吸着槽２８０は、浮上油吸着槽本体２８１内部の略中央部内側に水切りする目的で脱水装置２８３としてのパンチングプレート２８３を位置させ、その上部に油吸着を行う油吸着材２８２を載置させている。  但し、脱水装置２８３に関しては、パンチングプレート２８３に限定する必要はなく、金網や平行に間隔を持って位置させた棒のようなものも考えられる。【００３４】  ここで、油吸着材２８２としては、ポリプロピレンやポリスチレン等の不織布を含む繊維よりなるものが考えられる。  但し、油吸着材２８２に関しては、前述のものに限定する必要は無く、油吸着の機能を持っていて水不溶性のものであれば、活性炭やおがくずなども考えられるし、更にその他のものでもかまわない。【００３５】  尚、浮上油吸着槽本体２８１の下部には、比較的綺麗なドレン水９５を貯留する比較的綺麗なドレン水貯留室２８０ｘを形成している。  そして、比較的綺麗なドレン水貯留室２８０ｘからは、戻り配管１８１と、自身より下流の側に流体を流すが上流の側に戻せないようにした逆止弁２８５と、戻り配管１８２と、ポンプ２８６と、戻り配管１８３を経由して油水分離槽２１０に比較的綺麗なドレン水９５を戻すようにしている。  尚、比較的綺麗なドレン水貯留室２８０ｘの所定の位置には、液面の到達を感知するレベルスイッチ２８４を配設し、レベルスイッチ２８４とポンプ２８６の間には電気信号１９１が流れるようにし、液面がレベルスイッチ２８４に到達しポンプ２��６が電気信号１９１を受けたら、ポンプ２８６を作動させて比較的綺麗なドレン水９５を油水分離槽２１０に戻している。【００３６】  本発明による、圧縮空気より発生したドレン水より異物を分離する方法および装置は前述したように構成されており、以下にその動作について説明する。【００３７】  先ず、エアーコンプレッサー１０を構成している電動機を作動させると、電動機の回転は空気圧縮機に伝えられ大気９１を吸引して圧縮空気を作り出す。  ここで、作り出された圧縮空気は、圧縮空気配管１０１を経由してエアータンク２０に貯蔵し、圧縮空気配管１０２を経由してエアードライヤー３０によって冷却することで乾燥し、圧縮空気配管１０３を経由して除塵フィルター４０によって塵埃を除去した後に、圧縮空気配管１０４からミストフィルター５０に送り込まれることによってオイルミストを除去し、最後に圧縮空気配管１０５から乾燥した綺麗な圧縮空気９２をエアーモーターやエアーシリンダー等の各種のアクチュエーターに送り使用することが可能となっている。【００３８】  一方、エアータンク２０とエアードライヤー３０と除塵フィルター４０とミストフィルター５０では、その各々で圧縮空気より露化することでドレン水を発生するが、発生したドレン水は、ドレン水配管１２１、１３１、１４１、１５１と開閉弁２１、３１、４１、５１とドレン水配管１２２、１３２、１４２、１５２とドレントラップ２２、３２、４２、５２とドレン水配管１２３、１３３、１４３、１５３と逆止弁２３、３３、４３、５３とドレン水配管１２４、１３４、１４４、１５４とドレン水集合管１６１を経由してドレン水９３として上部を開放した状態の油水分離槽２１０に流入させることが出来る様になっている。【００３９】  ここで、油水分離槽２１０に流入したドレン水９３は、比重によって水より軽い油を中心とする異物を含んだ浮上油９４を分離して液面ＷＬに浮上させ、開閉弁２１３を常に開放させておくことで液面ＷＬと同じ高さに位置している浮上油配管１７１と開閉弁２１３と浮上油配管１７２を経由して、その浮上油９４が常時浮上油吸着槽２８０に送り込まれる様になっている。【００４０】  尚、浮上油吸着槽２８０には、内部の略中央部にパンチングプレート２８３等の脱水装置２８３を形成してその上部に油吸着を行う油吸着材２８２を載置しているので、浮上油９４に含まれている油が油吸着材２８２に吸着され、比較的綺麗なドレン水９５を脱水装置２８３より下部に形成された比較的綺麗なドレン水貯留室２８０ｘに貯留されるようになっている。【００４１】  所で、比較的綺麗なドレン水貯留室２８０ｘ内の比較的綺麗なドレン水９５が増加することで液面が上昇し、レベルスィッチ２８４に到達すると、電気信号１９１がポンプ２８６に伝わり、その結果ポンプ２８６が作動することで比較的綺麗なドレン水９５を油水分離槽２１０に戻している。  当然、ポンプ２８６が作動してから所定の時間経過すると、ポンプ２８６の作動を停止する必要はある。【００４２】  また、比較的綺麗なドレン水９５に関しては、油吸着材２８２を経由しているのである程度は綺麗なドレン水となるが、再び油水分離槽２１０に戻している為に清浄度を気にする必要はない。  一方、油吸着材２８２に関しては、一定時間経過した後、または具体的に図示していないが、浮上油吸着槽２８０の全体または一部を目視可能にしていて汚れの状態を確認することによって交換し、その後十分に油の吸着した油吸着材２８２を産業廃棄物として処理することになる。【００４３】  最後に、油水分離槽２１０の底部に滞留しているドレン水９３から浮上油９４を分離した綺麗なドレン水９６は、導入管２１２の底部入口２１２ｘから分岐部２１２ｙを経由して綺麗なドレン水９６として排出している。  当然のことながら、導入管２１２を形成している分岐部２１２ｙは水面ＷＬと同じ高さであり、同様に浮上油配管１７２も同じ高さである為に、開閉弁２１３を常時開放の状態にしていると、浮上油９４と綺麗なドレン水９６の両方共が同じ様に常に送り込んだり排出したりと、流れの状態を維持しているのである。【００４４】〔第二実施例〕
図２に見られるように、２２０は油水分離槽で、もし油吸着材２２４を除いた場合には
2007075804.tif 000003
【００４５】  ここで、油水分離槽２２０は、上部を開放した状態の油水分離槽本体２２１の底部に、一端を大気に開放し分岐部２２２ｙを形成した導入管２２２である清浄水排出管２２２の他の一端である底部入口２２２ｘを接続している。  そして、導入管２２２は、分岐部２２２ｙを経由させて底部人口２２２ｘからの清浄水９７を排出している。  更に、油水分離槽本体２２１には、底部入口２２２ｘからの清浄水９７を排出している分岐部２２２ｙと同じ高さの液面ＷＬ上に位置を合わせて、浮上油９４を送り込む為に浮上油配管１７１
2007075804.tif 000004
【００４６】  この場合、第二実施例が第一実施例と異なる点は、第一実施例に於いては、導入管２１２の分岐部２１２ｙを経由して綺麗なドレン水９６を排出するのに対して、第二実施例に於いては、導入管２２２の分岐部２２２ｙを経由して清浄水９７を排出していることであり、その理由は、第二実施例の油水分離槽本体２２１にエマルジョン破壊と油吸着を行う油吸着材２２４を収納している為である。【００４７】  ここで、油吸着材２２４に関しては、ポリプロピレンやポリスチレン等の不織布を含む繊維よりなるものが考えられる。  但し、油吸着材２２４に関しては、前述のものに限定する必要は無く、油吸着の機能を持っていて水不溶性のものであれば、その他のものでも構わない。  更に、油吸着材２２４に関しては、エマルジョン破壊粒子を付着させたエマルジョン破壊粒子付ポリプロピレンやポリスチレン等の不織布を含む繊維を単独で使用しても、ポリプロピレンやポリスチレン等の不織布を含む繊維と混合させて使用しても構わない。【００４８】  尚、エマルジョン破壊粒子としては、アミン化合物またはその誘導体や硫酸バリウム等の使用が考えられる。【００４９】  ところで、ドレン水９３が発生し流入する迄と、浮上油吸着槽２８０の構成および動作に関しては、以下に述べる動作も含めて、第一実施例と同じ内容になるので記載を省略する。【００５０】  本発明による、圧縮空気より発生したドレン水より異物を分離する方法および装置は前述したように構成されており、以下にその動作について説明する。【００５１】  この場合、第二実施例が第一実施例と異なる点は、第一実施例が油水分離槽本体２１１には油吸着材を収納していない為に底部には浮上油９４を分離した綺麗なドレン水９６を滞留させ導入管２１２の底部人口２１２ｘから分岐部２１２ｙを経由して綺麗なドレン水９６を排出するのに対して、第二実施例の油水分離槽本体２２１にはエマルジョン破壊と油吸着を行う油吸着材２２４を収納している為に浮上油９４を分離した綺麗なドレン水が収納した油吸着材２２４を経由することでエマルジョン破壊と油吸着を行いながら導入管２２２の底部入口２２２ｘから分岐部２２２ｙを経由して清浄水９７となって排出しているのである。【００５２】〔第三実施例〕
図３に見られるように、２３０は油水分離装置で、油水分離装置２３０を構成している油水分離槽２３０Ａが、図１に示した第一実施例の油水分離槽２１０に該当する構成に類似していると言える。【００５３】  ここで、油水分離装置２３０は、油水分離槽２３０Ａと油吸着槽２３０Ｂから構成されている。  尚、油水分離槽２３０Ａは、上部を開放した状態の油水分離槽本体２３１の底面との間を液体が出入することが出来るように、隔壁２３１ａによって浮上油分離室２３１ｘと綺麗なドレン水貯留室２３１ｙの二つの部屋を形成し、浮上油分離室２３１ｘでは液面ＷＬにドレン水９３から浮上油９４を分離して浮上させ、浮上油９４を分離した綺麗なドレン水を浮上油分離室２３１ｘの底部に滞留させ綺麗なドレン水貯留室２３１ｙに貯留している。【００５４】  ところで、油水分離槽２３０Ａでは、綺麗なドレン水貯留室２３１ｙに貯留している綺麗なドレン水を移動させる為に、水面ＷＬに面して導入管２３３の一端を形成している入
2007075804.tif 000005
ている出口２３３ｙを油吸着槽２３０Ｂに接続している。  この場合、導入管２３３の別の一端である出口２３３ｙは、油吸着槽２３０Ｂの下部に接続し、油吸着槽２３０Ｂを構成している油吸着槽本体２３２に収納されたエマルジョン破壊と油吸着を行う油吸着材２３６を経由して、導入管２３３の一端を形成している入口２３３ｘと同じ高さの水面ＷＬより下部に位置している油吸着槽２３０Ｂの上部に接続している清浄水排出管２３４から清浄水９８を排出している。【００５５】  但し、導入管２３３の別の一端を形成している出口２３３ｙは、導入管２３３全体が水面ＷＬより下部に位置していれば、油吸着槽２３０Ｂの上部に接続しても構わない。  当然のことながらその場合、清浄水排出管２３４は、油吸着槽２３０Ｂの下部に接続することになる。  尚、油吸着材２３６に関しては、第二実施例と同じ油吸着材２２４を使用している。【００５６】  更に、油水分離槽本体２３１の浮上油分離室２３１ｘの側面には、導入管２３３に形成している入口２３３ｘと同じ高さの液面ＷＬ上に位置を合わせて、浮上油９４を送り込む為に浮上油配管１７１と開閉弁２３５と浮上油配管１７２を一体に接続している。【００５７】  従って、第三実施例の導入管２３３を含めた油水分離槽２３０Ａが、第一実施例の油水分離槽２１０に該当し、第三実施例の導入管２３３を形成している入口２３３ｘが、第一実施例の導入管２１２を形成している分岐部２１２ｙに該当すると言えるのである。【００５８】  尚、ドレン水９３が発生し流入する迄と、浮上油吸着槽２８０の構成および動作に関しては、以下に述べる動作も含めて、第一実施例と同じ内容になるので記載を省略する。【００５９】  本発明による、圧縮空気より発生したドレン水より異物を分離する方法および装置は前述したように構成されており、以下にその動作について説明する。【００６０】  この場合、第三実施例と第一実施例を較べると、第一実施例が油水分離槽本体２１１の底部に浮上油９４を分離した綺麗なドレン水９６を滞留させ導入管２１２の底部入口２１２ｘから分岐部２１２ｙを経由して綺麗なドレン水９６を排出するのに対して、第三実施例では油水分離槽本体２３１の浮上油分離室２３１ｘの底部に浮上油９４を分離した綺麗なドレン水を滞留させながら綺麗なドレン水貯留室２３１ｙに貯留し、導入管２３３の入口２３３ｘから綺麗なドレン水を移動させていることに関しては、第一実施例と同じ動作を行っていると考えて良い。【００６１】  一方、第三実施例では、導入管２３３の入口２３３ｘからの綺麗なドレン水が出口２３３ｙから油吸着槽２３０Ｂに移動すると、収納されているエマルジョン破壊と油吸着を行う油吸着材２３６によってエマルジョン破壊と油吸着をすることで清浄水９８にし、清浄水排出管２３４より排出されるのである。【００６２】〔第四実施例〕
図４、図５、図６に見られるように、２４０は油水分離装置で、油水分離装置２４０を構成している油水分離槽２４０Ａの浮上油分離室２４１ｘの部分が、図１に示した第一実施例の油水分離槽２１０に該当する構成に類似すると言える。【００６３】  ここで、油水分離装置２４０は、油水分離槽２４０Ａと油吸着槽２４０Ｂから構成されている。  尚、油水分離槽２４０Ａは、上部を開放した状態の油水分離槽本体２４１を壁２４１ａ、２４１ｂで仕切って浮上油分離室２４１ｘ、２４１ｙと綺麗なドレン水貯留室２４１ｚの三つの部屋を形成している。【００６４】  この場合、浮上油分離室２４１ｘでは、液面ＷＬにドレン水９３から比重によって水よりも軽い油を中心とする異物を含んだ浮上油９４を分離して浮上させ、浮上油９４を分離した綺麗なドレン水を浮上油分離室２４１ｘの底部に滞留させているのである。従って、ドレン水９３が流入して液面ＷＬが上昇すると底部入口２４３ｘに滞留している綺麗なドレン水は分岐部２４３ｙから浮上油分離室２４１ｙに移動することになる。【００６５】  更に、浮上油分離室２４１ｙでは、同様に液面ＷＬに浮上油９４を分離して浮上させ、浮上油９４を分離した綺麗なドレン水を浮上油分離室２４１ｙの底部に滞留させているのである。  当然、綺麗なドレン水が移動して来て液面ＷＬが上昇すると底部入口２４４ｘに滞留している綺麗なドレン水は分岐部２４４ｙから綺麗なドレン水貯留室２４１ｚに移動することになる。【００６６】  加えて、綺麗なドレン水貯留室２４１ｚでは、液面ＷＬに浮上油９４を分離して浮上させ、浮上油９４を分離した綺麗なドレン水を綺麗なドレン水貯留室２４１ｚに貯留しているのである。【００６７】  尚、今迄の説明で明らかな様に、油水分離槽２４０Ａには、油水分離槽本体２４１の浮上油分離室２４１ｘ、２４１ｙの各々に、上下両端を開放し分岐部２４３ｙ、２４４ｙを形成した導入管２４３、２４４を位置させている。  そして、導入管２４３、２４４は、油水分離槽本体２４１内部の底部に下端である底部入口２４３ｘ、２４４ｘを対向させ、上端を大気に開放し、分岐部２４３ｙ、２４４ｙを経由させて底部入口２４３ｘ、２４４ｘから綺麗なドレン水を下流に移動させている。【００６８】  一方、油水分離槽本体２４１に於いて、導入管２４３、２４４の底部入口２４３ｘ、２４４ｘの近傍に滞留している綺麗なドレン水を移動の為に通過させている分岐部２４３ｙ、２４４ｙと同じ高さの液面ＷＬ上に位置を合わせて、浮上油分離室２４１ｘ、２４１ｙと綺麗なドレン水貯留室２４１ｚの三つの部屋の各々の側面に、浮上油９４を送り込む為の浮上油配管１７３、１７５、１７７と開閉弁２５１、２５２、２５３と浮上油配管１７４、１７６、１７８を一体に接続している。【００６９】  従って、液面ＷＬに浮上した浮上油９４は、開閉弁２５１、２５２、２５３を常に開放の状態にしていると、浮上油配管１７３、１７５、１７７と開閉弁２５１、２５２、２５３と浮上油配管１７４、１７６、１７８から浮上油吸着槽２９０に常に送り込まれるようになっている。【００７０】  尚、浮上油吸着槽２９０に関しては、浮上油９４を送り込む浮上油配管１７４、１７６、１７８が複数箇所となっていて、其��によって浮上油吸着槽本体２９１が大きく細長い形状となっているが、油吸着材２９２や脱水装置２９３やレベルスィッチ２９４や逆止弁２９５やポンプ２９６の構造や機能に関しては、第一実施例に示した名称に合わせて同じと考えて良い。【００７１】  更に、図５に於いては、導入管２４３、２４４を形成している分岐部２４３ｙ、２４４ｙは、同じ液面ＷＬ上に位置させているが、下流に位置するに従って液面ＷＬが低くなっていく様にしても構わない。  その場合、図５に於いて、最下流に位置している綺麗なドレン水貯留室２４１ｚに配設しているレベルスィッチ２４５の作動する位置だけを低くしてその位置に合わせて綺麗なドレン水貯留室２４１ｚに接続している浮上油配管１７７と開閉弁２５３と浮上油配管１７８だけを低く接続することが考えられるし、中央の浮上油分離室２４１ｙの液面の高さを、両側の浮上油分離室２４１ｘと綺麗なドレン水貯留室２４１ｚの中間になるように位置させても構わない。【００７２】  尚、第四実施例に於いては二つの浮上油分離室２４１ｘ、２４１ｙを形成したものを示しているが、三つの浮上油分離室でもそれ以上の浮上油分離室でも構わない。  この場合、浮上油分離室の数を多くすればする程、より綺麗なドレン水に最終的には完全な清浄水にすることが出来るのである。  この場合に於いても、導入管を形成している分岐部はレベルスイッチ２４５も含め、同じ液面ＷＬ上に位置させても良いし、下流に位置するに従って低い位置になる様にしても構わない。【００７３】  ところで、綺麗なドレン水貯留室２４１ｚに貯留された綺麗なドレン水は、綺麗なドレン水配管１８５と、自身より下流の側に流体を流すが上流の側に戻せないようにした逆止弁２４６と、綺麗なドレン水配管１８６と、ポンプ２４７と、綺麗なドレン水配管１８７を経由して油吸着槽２４０Ｂに移動可能になっている。  尚、綺麗なドレン水貯留室２４１ｚの所定の位置には、液面の到達を感知するレベルスイッチ２４５を配設し、レベルスイッチ２４５とポンプ２４７の間には電気信号１９５が流れるようになっていて、液面がレベルスイッチ２４５に到達し電気信号１９５を受けたら、ポンプ２４７を作動させて綺麗なドレン水を油吸着槽２４０Ｂに移動させている。【００７４】  一方、油吸着槽２４０Ｂを構成している油吸着槽本体２４２には、エマルジョン破壊と油吸着を行う油吸着材２５４を収納していて、エマルジョン破壊と油吸着を行った後に、清浄水排出管１８８より清浄水９９を排出するようにしている。  尚、油吸着材２５４に関しては、第二実施例と同じ油吸着材２２４を使用しているので詳細を述べることは省略する。【００７５】  従って、第四実施例の油水分離槽２４０Ａを形成している浮上油分離室２４１ｘと導入管２４３が、第一実施例の油水分離槽２１０に該当し、第四実施例の導入管２４３を形成している分岐部２４３ｙが、第一実施例の導入管２１２を形成している分岐部２１２ｙに該当すると言えるのである。【００７６】  尚、ドレン水９３が発生するまでに関しては、第一実施例と同じ内容になるので記載を省略する。【００７７】  本発明による、圧縮空気より発生したドレン水より異物を分離する方法および装置は前述したように構成され��おり、以下にその動作について説明する。【００７８】  この場合、第四実施例と第一実施例を較べると、第一実施例が油水分離槽本体２１１の底部にドレン水９３から浮上油９４を分離した綺麗なドレン水９６を滞留させ導入管２１２の底部入口２１２ｘから分岐部２１２ｙを経由して綺麗なドレン水９６を排出するのに対して、第四実施例では油水分離槽本体２４１の浮上油分離室２４１ｘの底部にドレン水９３から浮上油９４を分離した綺麗なドレン水を滞留させ導入管２４３の底部入口２４３ｘから分岐部２４３ｙを経由して綺麗なドレン水を移動させていることに関しては、同じ動作を行っていると考えて良い。【００７９】
2007075804.tif 000006
した綺麗なドレン水は、油水分離槽本体２４１の浮上油分離室２４１ｙの底部に浮上油９４を分離した綺麗なドレン水を滞留させ導入管２４４の底部入口２４４ｘから分岐部２４４ｙを経由して綺麗なドレン水を綺麗なドレン水貯留室２４１ｚに移動させているのである。  そして、綺麗なドレン水貯留室２４１ｚに貯留された綺麗なドレン水が増加することで液面が上昇し、レベルスィッチ２４５に到達すると、電気信号１９５がポンプ２４７に伝わり、その結果ポンプ２４７が作動することで綺麗なドレン水を油吸着槽２４０Ｂに移動させている。  当然、ポンプ２４７が作動してから所定の時間経過すると、ポンプ２４７の作動を停止する必要はある。【００８０】  最後に、綺麗なドレン水が油吸着槽２４０Ｂに移動させられると、収納されているエマルジョン破壊と油吸着を行う油吸着材２５４によってエマルジョン破壊と油吸着されることで清浄水９９として、清浄水排出管１８８より排出しているのである。【００８１】  所で、第一実施例と第二実施例と第三実施例と第四実施例は、全てに油水分離槽と浮上油吸着槽を構成し、一部に油吸着材を収納した油吸着槽を構成し、一部に油吸着材を油水分離槽に収納している。【００８２】  ここで、油水分離槽と浮上油吸着槽を構成し、第二実施例に見られる油吸着材を油水分離槽に収納する応用を考えた場合には、第三実施例と第四実施例の油吸着槽を取除いた状態で油吸着材を浮上油分離室または綺麗なドレン水貯留室に収納することで適用可能である。また、浮上油分離室と綺麗なドレン水貯留室の両方に収納することも可能である  特に、第四実施例に於いては、油吸着材を何れかの浮上油分離室に収納しても複数の浮上油分離室に収納してもそれなりの効果はみられる。【００８３】  また、油吸着槽に関しては、ポンプによって送り込む方式とポンプを使わない水頭差による方式を示しているが、両者共に第一実施例と第三実施例と第四実施例に適用可能である。  但し、ポンプによって送り込む方式の場合には、第一実施例と第三実施例に於いては、綺麗なドレン水を一端貯留槽に貯留する必要は有る。【００８４】〔全実施例に共通する実施例〕
図７に見られるように、１１０はドレン水貯留槽であり、ドレン水９３と比較的綺麗なドレン水９５が流入するようになっている。  この場合、ドレン水貯留槽１１０に貯留しているドレン水９３と比較的綺麗なドレン水９５は、ドレン水供給管１１６と開閉弁１１とドレン水供給管１１７によって油水分離槽２１０、２２０、２３０Ａ、２４０Ａに供給可能となっている。【００８５】  特に、ドレン水供給管１１７に関しては、Ｊ字状またはＬ字状のものを、先端を水面ＷＬ下に位置させ、端部を上向きまたは横向きにすることで、早い時点で浮上油９４を分離することが可能となったのである。  この様にすることで、油水分離槽２１０、２２０、２３０Ａ、２４０Ａ内である程度浮上油９４が分離を行っている中で、新たにドレン水９３と比較的綺麗なドレン水９５が供給された際に、混合や攪拌等の悪い影響が出てくることを防止している。
【産業上の利用可能性】
【００８６】  常に綺麗なドレン水または清浄水が流れていると同時に浮上油も常に送り込むことで流れを維持され常に流れることで装置の水面で淀むような事もなく、それによって装置全体の清浄な状態を保持することが可能になり、最小限の産業廃棄物を考慮したドレン水の油水分離が可能となった。
【図面の簡単な説明】
【００８７】
【図１】  本願発明の第一の油水分離槽を示した図と全体図
【図２】  本願発明の第二の油水分離槽を示した図
【図３】  本願発明の第三の油水分離槽を示した図
【図４】  本願発明の第四の油水分離槽を示した平面図
【図５】  本願発明の第四の油水分離槽を示したＡＡ断面図
【図６】  本願発明の第四の油水分離槽を示したＢＢ断面図
【図７】  本願発明の全実施例に共通するドレン水貯留槽を示した図
【符号の説明】
【００８８】  １０・・・・・・エアーコンプレッサー
２０・・・・・・エアータンク
２１・・・・・・開閉弁
２２・・・・・・ドレントラップ
２３・・・・・・逆止弁
３０・・・・・・エアードライヤー
３１・・・・・・開閉弁
３２・・・・・・ドレントラップ
３３・・・・・・逆止弁
４０・・・・・・除塵フィルター
４１・・・・・・開閉弁
４２・・・・・・ドレントラップ
４３・・・・・・逆止弁
５０・・・・・・ミストフィルター
５１・・・・・・開閉弁
５２・・・・・・ドレントラップ
５３・・・・・・逆止弁
９１・・・・・・大気
９２・・・・・・乾燥した綺麗な圧縮空気
９３・・・・・・ドレン水
９４・・・・・・浮上油
９５・・・・・・比較的綺麗なドレン水
９６・・・・・・綺麗なドレン水
９７、９８、９９・・・・・・清浄水
１０１、１０２、１０３、１０４、１０５・・・・・圧縮空気配管
１１０・・・・・ドレン水貯留槽
１１１・・・・・開閉弁
１１６、１１７・・・・・ドレン水供給管
１２１、１２２、１２３、１２４、１３１、１３２、１３３、１３４、１４１  １４２、１４３、１４４、１５１、１５２、１５３、１５４・・・・・ドレン水配管
１６１・・・・・ドレン水集合管
１７１、１７２、１７３、１７４、１７５、１７６、１７７、１７８・・・・・浮上油配管
１８１、１８２、１８３・・・・・戻り配管
１８５、１８６、１８７・・・・・綺麗なドレン水配管
１８８・・・・・清浄水排出管
１９１・・・・・電気信号
１９５・・・・・電気信号
２１０・・・・・油水分離槽
２１１・・・・・油水分離槽本体
２１２・・・・・導入管
２１２ｘ・・・・底部入口
２１２ｙ・・・・分岐部
２１３・・・・・開閉弁
２２０・・・・・油水分離槽
２２１・・・・・油水分離槽本体
２２２・・・・・導入管（清浄水排出管）
２２２ｘ・・・・底部入口
２２２ｙ・・・・分岐部
２２３・・・・・開閉弁
２２４・・・・・油吸着材
２３０・・・・・油水分離装置
２３０Ａ・・・・油水分離槽
２３０Ｂ・・・・油吸着槽
２３１・・・・・油水分離槽本体
２３１ａ・・・・隔壁
２３１ｘ・・・・浮上油分離室
２３１ｙ・・・・綺麗なドレン水貯留室
２３２・・・・・油吸着槽本体
２３３・・・・・導入管
２３３ｘ・・・・入口
２３３ｙ・・・・出口
２３４・・・・・清浄水排出管
２３５・・・・・開閉弁
２３６・・・・・油吸着材
２４０・・・・・油水分離装置
２４０Ａ・・・・油水分離槽
２４０Ｂ・・・・油吸着槽
２４１・・・・・油水分離槽本体
２４１ａ・・・・壁
２４１ｂ・・・・壁
２４１ｘ・・・・浮上油分離室
２４１ｙ・・・・浮上油分離室
２４１ｚ・・・・綺麗なドレン水貯留室
２４２・・・・・油吸着槽本体
２４３・・・・・導入管
２４３ｘ・・・・底部人口
２４３ｙ・・・・分岐部
２４４・・・・・導入管
２４４ｘ・・・・底部入口
２４４ｙ・・・・分岐部
２４５・・・・・レベルスィッチ
２４６・・・・・逆止弁
２４７・・・・・ポンプ
２５１、２５２、２５３・・・・・開閉弁
２５４・・・・・油吸着材
２８０・・・・・浮上油吸着槽
２８０ｘ・・・・比較的綺麗なドレン水貯留室
２８１・・・・・浮上油吸着槽本体
２８２・・・・・油吸着材
２８３・・・・・パンチングプレート（脱水装置）
２８４・・・・・レベルスィッチ
２８５・・・・・逆止弁
２８６・・・・・ポンプ
２９０・・・・・浮上油吸着槽
２９０ｘ・・・・比較的綺麗なドレン水貯留室
２９１・・・・・浮上油吸着槽本体
２９２・・・・・油吸着材
２９３・・・・・パンチングプレート（脱水装置）
２９４・・・・・レベルスィッチ
２９５・・・・・逆止弁
２９６・・・・・ポンプ
ＷＬ・・・・・・液面
【図１】
2007075804.tif 000007
【図２】
2007075804.tif 000008
【図３】
2007075804.tif 000009
【図４】
2007075804.tif 000010
【図５】
2007075804.tif 000011
【図６】
2007075804.tif 000012
【図７】
2007075804.tif 000013